(57)【特許請求の範囲】
【請求項１】
レンズを保持し前記レンズの光軸方向へ移動可能な可動体と、前記可動体を前記光軸方向へ移動可能に保持する固定体と、駆動用磁石と駆動用コイルとを有し前記可動体を前記光軸方向へ駆動する駆動機構と、前記駆動用コイルへ電流を供給するための一対の給電端子とを備え、
前記固定体は、前記給電端子を保持する保持部材を備え、
前記給電端子は、前記保持部材に固定される平板状の固定部と、前記駆動用コイルに電流を供給するための外部機器に接続される端子部とを備え、
前記光軸方向から見たときに、前記端子部は、前記固定部の厚み方向において、前記固定部からずれた位置に配置されており、
前記保持部材には、前記給電端子の一部が配置される配置孔が前記光軸方向に貫通するように形成され、
前記固定部の厚み方向における前記配置孔の幅は、前記固定部の厚み方向における前記端子部の外側面と前記固定部の外側面との最長距離以上となっていることを特徴とするレンズ駆動装置。
【請求項２】
前記光軸方向から見たときに、前記端子部は、前記固定部から前記レンズ駆動装置の内側へずれていることを特徴とする請求項１記載のレンズ駆動装置。
【請求項３】
前記固定部は、前記光軸方向と略平行になるように前記保持部材に固定され、
前記端子部は、平板状に形成され、
前記端子部と前記固定部とが略平行になっていることを特徴とする請求項１または２記載のレンズ駆動装置。
【請求項４】
前記配置孔には、接着剤が充填されていることを特徴とする請求項１から３のいずれかに記載のレンズ駆動装置。
【請求項５】
前記給電端子には、一対の前記給電端子同士を繋ぐ接続部材が取り除かれた跡である除去部が形成されていることを特徴とする請求項１から４のいずれかに記載のレンズ駆動装置。
【請求項６】
前記可動体と前記固定体とを繋ぐ板バネを備えるとともに前記光軸方向から見たときの形状が略四角形状となるように形成され、
前記板バネは、互いに電気的に分離された複数のバネ片によって構成され、
前記駆動用コイルの両端部のそれぞれは、複数の前記バネ片のうちの異なる前記バネ片に電気的に接続され、
前記給電端子は、前記駆動用コイルの両端部のそれぞれが電気的に接続される前記バネ片に半田付けされて固定される半田付け部を備え、
一対の前記給電端子は、前記光軸方向から見たときに、前記レンズ駆動装置の一辺の両隅側に前記半田付け部が配置され、かつ、前記レンズ駆動装置の一辺の中心側に前記端子部が配置されるように、対称に配置され、
前記保持部材には、前記光軸方向から見たときに略四角形の枠状に形成される外周壁が形成され、
前記外周壁は、前記固定部よりも外周側に配置され前記固定部に略平行な第１外周壁部と、前記第１外周壁部に略直交する第２外周壁部とを備え、
前記第２外周壁部の、前記半田付け部の近傍には、切欠き部が形成されていることを特徴とする請求項１から５のいずれかに記載のレンズ駆動装置。
【請求項７】
前記保持部材には、前記第１外周壁部に沿って、前記固定部が圧入されて固定される圧入部が形成され、
前記給電端子は、前記圧入部に前記固定部を圧入する際に加圧される加圧部を備え、
前記加圧部は、前記半田付け部と前記端子部との間に形成されていることを特徴とする請求項６記載のレンズ駆動装置。
【請求項８】
前記第１外周壁部の、前記加圧部の近傍には、第２の切欠き部が形成されていることを特徴とする請求項７記載のレンズ駆動装置。
【請求項９】
前記可動体と前記固定体とを繋ぐ板バネを備え、
前記板バネは、互いに電気的に分離された複数のバネ片によって構成され、
前記バネ片は、前記可動体に固定される可動体固定部と、前記固定体に固定される固定体固定部と、前記可動体固定部と前記固定体固定部とを繋ぐ腕部とを備え、
前記駆動用コイルの両端部のそれぞれは、複数の前記バネ片のうちの異なる前記バネ片に電気的に接続され、
一対の前記給電端子のうちの一方の前記給電端子である第１給電端子は、前記駆動用コイルの両端部のそれぞれが電気的に接続される２個の前記バネ片のうちの一方の前記バネ片である第１バネ片に電気的に接続され、
一対の前記給電端子のうちの他方の前記給電端子である第２給電端子は、前記駆動用コイルの両端部のそれぞれが電気的に接続される２個の前記バネ片のうちの他方の前記バネ片である第２バネ片に電気的に接続され、
前記保持部材には、前記光軸方向から見たときに前記第１バネ片の前記腕部と重なる規制面が前記光軸方向に略直交するように形成され、
前記光軸方向から見たときに前記第１バネ片の前記腕部と前記第２給電端子とが重なっており、
前記規制面は、前記光軸方向において、前記第２給電端子の、前記光軸方向から見たときに前記第１バネ片の前記腕部と重なっている部分よりも、前記第１バネ片の前記腕部に近い位置に配置されていることを特徴とする請求項１から８のいずれかに記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等に搭載されるカメラの撮影用レンズを駆動するレンズ駆動装置として、レンズを保持して光軸方向へ移動する移動体と、移動体を光軸方向へ移動可能に保持する支持体と、移動体を光軸方向へ駆動する駆動用コイルおよび駆動用磁石とを備えるレンズ駆動装置が知られている（たとえば、特許文献１参照）。特許文献１に記載のレンズ駆動装置では、移動体の光軸方向の両端側に配置される板バネによって、移動体と支持体とが繋がれている。移動体の光軸方向の両端側に配置される板バネのうち、反被写体側に配置される板バネは、分割された２個のバネ片によって構成されている。このバネ片は、移動体に固定される移動側の固定部と、支持体に固定される支持側の固定部と、移動側の固定部と支持側の固定部とを繋ぐ腕部とを備えている。２個のバネ片のそれぞれには、駆動用コイルの両端部のそれぞれが電気的に接続されている。
【０００３】
また、特許文献１に記載のレンズ駆動装置は、駆動用コイルへ電流を供給するための一対の給電端子を備えている。給電端子は、外部のコネクタに接続される外部接続用端子と、バネ片に接続される内部接続用端子と、外部接続用端子と内部接続用端子とを繋ぐ引き回し部とを備えている。外部接続用端子は、引き回し部の一端に繋がるように形成されるとともに、引き回し部と同一平面上に形成されている。内部接続用端子は、引き回し部の他端に繋がるように形成されるともに、引き回し部に対して直角に折れ曲がっている。すなわち、給電端子は、光軸方向から見たときの形状が略Ｌ形状となるように、平板状の金属部材が折り曲げられて形成されている。
【０００４】
特許文献１に記載のレンズ駆動装置は、光軸方向から見たときの形状が略正方形状となるように形成されており、一対の給電端子は、レンズ駆動装置の四隅のうちの隣り合う２つの隅にその折り曲げ部分が配置されるように、支持体を構成するホルダに固定されている。また、一対の給電端子は、外部接続用端子同士が隣り合うように、ホルダに固定されている。さらに、一対の給電端子は、ホルダに形成されるスリット状の溝に引き回し部が差し込まれることで、ホルダに固定されている。
【０００５】
一対の給電端子のそれぞれは、２個のバネ片のそれぞれに電気的に接続されている。具体的には、バネ片には、バネ片の腕部の外周側に配置される被接続部が支持側の固定部に繋がるように形成されており、このバネ片の被接続部に内部接続用端子が半田付けされることで、一対の給電端子のそれぞれは、２個のバネ片のそれぞれに電気的に接続されている。
【先行技術文献】
【特許文献】
【０００６】
【特許文献１】特開２０１０−６６２８６号公報
【発明の概要】
【発明が解決しようとする課題】
【０００７】
外部のコネクタに接続される外部接続用端子の、その厚み方向における位置は、レンズ駆動装置が搭載されるカメラの機種によって異なることがある。しかしながら、特許文献１に記載のレンズ駆動装置では、ホルダに形成されたスリット状の溝に固定される引き回し部と同一平面上に外部接続用端子が形成されている。そのため、カメラの機種によって、外部接続用端子の厚み方向における位置が異なると、カメラの機種ごとにホルダを設計、製造しなければならず、レンズ駆動装置のコストが高くなる。
【０００８】
そこで、本発明の課題は、レンズ駆動装置が搭載されるカメラ等の上位装置によって、駆動用コイルに電流を供給するための外部機器に接続される給電端子の端子部の位置が変わっても、給電端子を保持する保持部材を上位装置ごとに設計、製造する必要をなくすことが可能なレンズ駆動装置を提供することにある。
【課題を解決するための手段】
【０００９】
上記の課題を解決するため、本発明のレンズ駆動装置は、レンズを保持しレンズの光軸方向へ移動可能な可動体と、可動体を光軸方向へ移動可能に保持する固定体と、駆動用磁石と駆動用コイルとを有し可動体を光軸方向へ駆動する駆動機構と、駆動用コイルへ電流を供給するための一対の給電端子とを備え、固定体は、給電端子を保持する保持部材を備え、給電端子は、保持部材に固定される平板状の固定部と、駆動用コイルに電流を供給するための外部機器に接続される端子部とを備え、光軸方向から見たときに、端子部は、固定部の厚み方向において、固定部からずれた位置に配置されており、保持部材には、給電端子の一部が配置される配置孔が光軸方向に貫通するように形成され、固定部の厚み方向における配置孔の幅は、固定部の厚み方向における端子部の外側面と固定部の外側面との最長距離以上となっていることを特徴とする。
【００１０】
本発明のレンズ駆動装置では、給電端子は、給電端子を保持する保持部材に固定される平板状の固定部と、駆動用コイルに電流を供給するための外部機器に接続される端子部とを備えており、光軸方向から見たときに、端子部は、固定部の厚み方向において、固定部からずれた位置に配置されている。そのため、本発明では、固定部に対する端子部のずれ量を変えることで、外部機器に接続される端子部のその厚み方向における位置を変えることが可能になる。
【００１１】
また、本発明では、保持部材に、給電端子の一部が配置される配置孔が形成され、固定部の厚み方向における配置孔の幅は、固定部の厚み方向における端子部の外側面と固定部の外側面との最長距離以上となっている。そのため、本発明では、レンズ駆動装置が搭載されるカメラ等の上位装置によって、外部機器に接続される端子部の位置が変わっても、給電端子の一部を配置孔の中に配置することが可能になる。したがって、本発明では、レンズ駆動装置が搭載される上位装置によって端子部の位置が変わっても保持部材を上位装置ごとに設計、製造する必要をなくすことが可能になる。
【００１２】
本発明において、光軸方向から見たときに、端子部は、固定部からレンズ駆動装置の内側へずれていることが好ましい。このように構成すると、固定部に対する端子部のずれ量が大きくなる場合であっても、レンズ駆動装置の外周側に端子部が突出するのを防止することが可能になる。したがって、レンズ駆動装置を上位装置に取り付ける際の端子部の損傷を防止しやすくなる。
【００１３】
本発明において、たとえば、固定部は、光軸方向と略平行になるように保持部材に固定され、端子部は、平板状に形成され、端子部と固定部とが略平行になっている。
【００１４】
本発明において、配置孔には、接着剤が充填されていることが好ましい。このように構成すると、固定部の厚み方向における配置孔の幅が、固定部の厚み方向における端子部の外側面と固定部の外側面との最長距離以上となっていても、配置孔からレンズ駆動装置の内部へ塵埃が入り込むのを防止することが可能になる。なお、本発明では、固定部の厚み方向における配置孔の幅が、固定部の厚み方向における端子部の外側面と固定部の外側面との最長距離以上となっているため、配置孔に給電端子の一部が配置されている状態であっても、比較的粘度の高い接着剤を配置孔に充填することが可能になる。
【００１５】
本発明において、給電端子には、一対の給電端子同士を繋ぐ接続部材が取り除かれた跡である除去部が形成されていることが好ましい。すなわち、組立前の一対の給電用端子は、接続部材によって一体化されていることが好ましい。このように構成すると、組立前の一対の給電用端子が別体になっている場合と比較して、組立時の給電用端子の取扱いが容易になる。
【００１６】
本発明において、レンズ駆動装置は、可動体と固定体とを繋ぐ板バネを備えるとともに光軸方向から見たときの形状が略四角形状となるように形成され、板バネは、互いに電気的に分離された複数のバネ片によって構成され、駆動用コイルの両端部のそれぞれは、複数のバネ片のうちの異なるバネ片に電気的に接続され、給電端子は、駆動用コイルの両端部のそれぞれが電気的に接続されるバネ片に半田付けされて固定される半田付け部を備え、一対の給電端子は、光軸方向から見たときに、レンズ駆動装置の一辺の両隅側に半田付け部が配置され、かつ、レンズ駆動装置の一辺の中心側に端子部が配置されるように、対称に配置され、保持部材には、光軸方向から見たときに略四角形の枠状に形成される外周壁が形成され、外周壁は、固定部よりも外周側に配置され固定部に略平行な第１外周壁部と、第１外周壁部に略直交する第２外周壁部とを備え、第２外周壁部の、半田付け部の近傍には、切欠き部が形成されていることが好ましい。
【００１７】
このように構成すると、駆動用コイルの両端部のそれぞれが電気的に接続されるバネ片に半田付けされて固定される給電端子の半田付け部が、光軸方向から見たときに、レンズ駆動装置の一辺の両隅側に配置されているため、板バネの腕部や可動体から離れたレンズ駆動装置の四隅のうちの隣り合う２つの隅において、半田付け部とバネ片とを半田付けして固定することが可能になる。したがって、半田付け部とバネ片との半田付け作業をそれほど慎重に行わなくても、半田付け部とバネ片との接続部分に板バネの腕部や可動体が一緒に半田付けされるのを防止することが可能になる。また、板バネの腕部や可動体から離れたレンズ駆動装置の四隅のうちの隣り合う２つの隅において、半田付け部とバネ片とを半田付けして固定することが可能になるため、半田付け部とバネ片との半田付けの面積を大きくすることが可能になる。その結果、板バネと給電端子との半田付けを容易に行うことが可能になる。
【００１８】
また、このように構成すると、第２外周壁部の、半田付け部の近傍に、切欠き部が形成されているため、この切欠き部を利用して、半田付け部とバネ片とが半田付けされる部分に半田ごてを容易に近づけることが可能になる。したがって、板バネと給電端子との半田付けをより容易に行うことが可能になる。
【００１９】
本発明において、保持部材には、第１外周壁部に沿って、固定部が圧入されて固定される圧入部が形成され、給電端子は、圧入部に固定部を圧入する際に加圧される加圧部を備え、加圧部は、半田付け部と端子部との間に形成されていることが好ましい。このように構成すると、圧入部に圧入された固定部を第１外周壁部によって保護することが可能になるため、レンズ駆動装置に組み込まれた後の固定部の変形を防止することが可能になる。また、このように構成すると、半田付け部と端子部との間に加圧部が形成されているため、圧入部に固定部を圧入する際に、半田付け部や端子部を加圧する必要がなくなる。したがって、圧入部に固定部を圧入する際の半田付け部や端子部の変形を防止することが可能になる。また、半田付け部と端子部との間に加圧部が形成されているため、給電端子を圧入部に均等に圧入することが可能になる。さらに、このように構成すると、加圧部を摘んで給電端子を取り扱うことが可能になるため、レンズ駆動装置に組み込まれる前の給電端子の半田付け部や端子部の変形を防止しつつ、レンズ駆動装置に組み込まれる前の給電端子を容易に取り扱うことが可能になる。
【００２０】
本発明において、第１外周壁部の、加圧部の近傍には、第２の切欠き部が形成されていることが好ましい。このように構成すると、第１外周壁部に邪魔されることなく、加圧部を加圧して圧入部に固定部を圧入することが可能になる。
【００２１】
本発明において、レンズ駆動装置は、可動体と固定体とを繋ぐ板バネを備え、板バネは、互いに電気的に分離された複数のバネ片によって構成され、バネ片は、可動体に固定される可動体固定部と、固定体に固定される固定体固定部と、可動体固定部と固定体固定部とを繋ぐ腕部とを備え、駆動用コイルの両端部のそれぞれは、複数のバネ片のうちの異なるバネ片に電気的に接続され、一対の給電端子のうちの一方の給電端子である第１給電端子は、駆動用コイルの両端部のそれぞれが電気的に接続される２個のバネ片のうちの一方のバネ片である第１バネ片に電気的に接続され、一対の給電端子のうちの他方の給電端子である第２給電端子は、駆動用コイルの両端部のそれぞれが電気的に接続される２個のバネ片のうちの他方のバネ片である第２バネ片に電気的に接続され、保持部材には、光軸方向から見たときに第１バネ片の腕部と重なる規制面が光軸方向に略直交するように形成され、光軸方向から見たときに第１バネ片の腕部と第２給電端子とが重なっており、規制面は、光軸方向において、第２給電端子の、光軸方向から見たときに第１バネ片の腕部と重なっている部分よりも、第１バネ片の腕部に近い位置に配置されていることが好ましい。
【００２２】
このように構成すると、光軸方向から見たときに第１バネ片の腕部と第２給電端子とが重なるように、第１バネ片と第２給電端子とが配置されるため、光軸方向に直交する方向において、レンズ駆動装置を小型化することが可能になる。また、このように構成すると、光軸方向から見たときに第１バネ片の腕部と重なる規制面が、光軸方向において、第２給電端子の、光軸方向から見たときに第１バネ片の腕部と重なっている部分よりも、第１バネ片の腕部に近い位置に配置されているため、光軸方向から見たときに第２給電端子と重なる第１バネ片の腕部が大きく撓んでも、規制面によって、第１バネ片の腕部と第２給電端子とが接触するのを防止することが可能になる。したがって、光軸方向に直交する方向においてレンズ駆動装置を小型化しても、第１バネ片と第２給電端子との短絡を防止することが可能になる。
【発明の効果】
【００２３】
以上のように、本発明では、レンズ駆動装置が搭載されるカメラ等の上位装置によって、駆動用コイルに電流を供給するための外部機器に接続される給電端子の端子部の位置が変わっても、給電端子を保持する保持部材を上位装置ごとに設計、製造する必要をなくすことが可能になる。
【図面の簡単な説明】
【００２４】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図３に示すベース部材、給電端子およびバネ片の組立状態の斜視図である。
【図５】図３に示すベース部材、給電端子およびバネ片の組立状態の平面図である。
【図６】図３に示すベース部材の平面図である。
【図７】図３に示す給電端子の斜視図である。
【図８】（Ａ）は、図３に示す給電端子の正面図であり、（Ｂ）は、（Ａ）のＦ方向から給電端子と接続部材との接続部分を示す拡大図である。
【図９】図５のＧ−Ｇ断面におけるベース部材および給電端子の断面図である。
【発明を実施するための形態】
【００２５】
以下、図面を参照しながら、本発明の実施の形態を説明する。
【００２６】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。なお、以下の説明では、図１等に示すように、互いに直交する３方向のそれぞれをＸ方向、Ｙ方向およびＺ方向とする。また、Ｘ方向を左右方向、Ｙ方向を前後方向、Ｚ方向を上下方向とする。また、Ｘ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００２７】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。具体的には、レンズ駆動装置１は、撮影用のレンズの光軸Ｌの方向（光軸方向）から見たときの形状が略正方形状となるように形成されている。また、レンズ駆動装置１の４つの側面は、左右方向または前後方向と略平行になっている。
【００２８】
本形態では、Ｚ方向（上下方向）が光軸方向とほぼ一致している。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２９】
レンズ駆動装置１は、図１、図２に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。また、レンズ駆動装置１は、図２、図３に示すように、可動体２と固定体３とを繋ぐ板バネ５、６を備えている。すなわち、可動体２は、板バネ５、６を介して固定体３に移動可能に保持されている。本形態では、板バネ５が可動体２の上端側に配置され、板バネ６が可動体２の下端側に配置されている。
【００３０】
可動体２は、複数のレンズが固定されたレンズホルダ７を保持するスリーブ８を備えている。固定体３は、レンズ駆動装置１の側面の上端側部分を構成するカバー部材１０と、レンズ駆動装置１の側面の下端側部分およびレンズ駆動装置１の下端面を構成するベース部材１１と、板バネ５の一部が固定されるスペーサ１２とを備えている。ベース部材１１には、駆動機構４を構成する後述の駆動用コイル２０へ電流を供給するための一対の給電端子１３、１４が固定されている。なお、図３では、レンズホルダ７の図示を省略している。
【００３１】
レンズホルダ７は、略円筒状に形成されている。このレンズホルダ７の内周側には、複数のレンズが固定されている。スリーブ８は、たとえば、樹脂材料で形成されるとともに、略筒状に形成されている。具体的には、スリーブ８は、光軸方向から見たときの内周面の形状が略円形状となり、光軸方向から見たときの外周面の形状が略四角形状となる略筒状に形成されている。このスリーブ８は、その内周側でレンズホルダ７を保持している。スリーブ８の下端には、ベース部材１１に形成される後述の基準面１１ｃに当接して、光軸方向における可動体２の基準位置を決める突起部８ａが下方向へ突出するように形成されている。突起部８ａは、９０°ピッチで４箇所に形成されている。
【００３２】
カバー部材１０は、磁性を有する金属材料で形成されている。また、カバー部材１０は、底部１０ａと筒部１０ｂとを有する底付きの略四角筒状に形成されている。上側に配置される底部１０ａの中心には、貫通孔１０ｃが形成されている。このカバー部材１０は、可動体２および駆動機構４の外周側を覆っている。
【００３３】
ベース部材１１は、絶縁性を有する樹脂材料で形成されている。また、ベース部材１１は、光軸方向から見たときの形状が略正方形となるブロック状に形成されている。このベース部材１１は、カバー部材１０の下端側に取り付けられている。ベース部材１１の詳細な構成については後述する。
【００３４】
スペーサ１２は、たとえば、樹脂材料で形成されるとともに、略正方形の扁平なブロック状に形成されている。また、スペーサ１２は、枠状に形成されており、その中心には、貫通孔が形成されている。このスペーサ１２は、カバー部材１０の底部１０ａの下面に固定されている。
【００３５】
板バネ５は、スリーブ８の上端側に固定される円環状の可動体固定部と、スペーサ１２に固定される４個の固定体固定部と、可動体固定部と固定体固定部とを繋ぐ４本の腕部とを備えている。この板バネ５は、その厚み方向と上下方向とが略一致するように、スリーブ８およびスペーサ１２に固定されている。
【００３６】
板バネ６は、互いに電気的に分離された２個のバネ片１５、１６によって構成されている。バネ片１５、１６は、導電性を有する金属材料によって形成されている。給電端子１３、１４は、導電性を有する金属材料によって形成されている。板バネ６および給電端子１３、１４の詳細な構成については後述する。
【００３７】
駆動機構４は、スリーブ８の外周側に巻回される２個の駆動用コイル２０と、レンズ駆動装置１の４つの側面のそれぞれに沿って配置される駆動用磁石２１とを備えている。２個の駆動用コイル２０は、光軸方向に所定の間隔をあけた状態で、スリーブ８の外周面に巻回されている。本形態では、１本の導線がスリーブ８の外周面に巻回されることで２個の駆動用コイル２０が形成されている。駆動用磁石２１は、略矩形の板状に形成されている。駆動用磁石２１は、駆動用コイル２０の外周面に対向するようにカバー部材１０の筒部１０ｂの内側面に固定されている。本形態のカバー部材１０は、磁気回路を形成するためのヨークの機能を果たしている。
【００３８】
（ベース部材、板バネおよび給電端子の構成）
図４は、図３に示すベース部材１１、給電端子１３、１４およびバネ片１５、１６の組立状態の斜視図である。図５は、図３に示すベース部材１１、給電端子１３、１４およびバネ片１５、１６の組立状態の平面図である。図６は、図３に示すベース部材１１の平面図である。図７は、図３に示す給電端子１３、１４の斜視図である。図８（Ａ）は、図３に示す給電端子１３、１４の正面図であり、図８（Ｂ）は、図８（Ａ）のＦ方向から給電端子１３と接続部材２５との接続部分を示す拡大図である。図９は、図５のＧ−Ｇ断面におけるベース部材１１および給電端子１３の断面図である。
【００３９】
ベース部材１１は、上述のように、光軸方向から見たときの形状が略正方形となるブロック状に形成されている。ベース部材１１の中心には、貫通孔１１ａが形成されている。ベース部材１１の上面の四隅には、バネ片１５、１６を構成する後述の固定体固定部１５ｂ、１６ｂが固定されるバネ固定面１１ｂが形成されている（図６参照）。また、ベース部材１１の上面には、光軸方向における可動体２の基準位置を決めるための基準面１１ｃが形成されている。ベース部材１１の外周側部分には、上方向に向かって立ち上る外周壁１１ｄが形成されている。また、ベース部材１１には、給電端子１３、１４が圧入されて固定される２個の圧入部１１ｅが形成されている（図６参照）。本形態のベース部材１１は、給電端子１３、１４を保持する保持部材である。
【００４０】
バネ固定面１１ｂは、光軸方向に直交する平面状に形成されている。バネ固定面１１ｂには、後述の固定体固定部１５ｂ、１６ｂを位置決めして固定するための突起１１ｆが形成されている。突起１１ｆは、略円柱状に形成されており、バネ固定面１１ｂから上側へ突出している。この突起１１ｆは、ベース部材１１の四隅から若干、ずれた位置に配置されている。具体的には、図６に示すように、右前側に配置される突起１１ｆは、ベース部材１１の右前の隅から左側へずれた位置に配置され、左前側に配置される突起１１ｆは、ベース部材１１の左前の隅から右側へずれた位置に配置され、右後ろ側に配置される突起１１ｆは、ベース部材１１の右後ろの隅から左側へずれた位置に配置され、左後ろ側に配置される突起１１ｆは、ベース部材１１の左後ろの隅から右側へずれた位置に配置されている。
【００４１】
基準面１１ｃは、光軸方向に直交する平面状に形成されている。また、基準面１１ｃは、ベース部材１１の上面の左右の両端側および前後の両端側の４箇所に形成されている。左右方向の両端側に形成される基準面１１ｃは、前後方向の略中心位置に形成され、前後方向の両端側に形成される基準面１１ｃは、左右方向の略中心位置に形成されている。本形態では、スリーブ８の突起部８ａの下端面が基準面１１ｃに当接しているときに、可動体２は、光軸方向の基準位置にある。なお、本形態では、駆動用コイル２０に電流が供給されていないときに、突起部８ａの下端面が基準面１１ｃに当接するように、板バネ５が撓んだ状態で、スリーブ８およびスペーサ１２に固定されている。
【００４２】
外周壁１１ｄは、光軸方向から見たときの形状が略正方形の枠状となるように形成されている。この外周壁１１ｄは、図２に示すように、カバー部材１０の下端側部分の内周側に配置されている。また、外周壁１１ｄは、Ｚ方向とＸ方向とによって形成されるＺＸ平面に平行な２個の外周壁部１１ｇと、Ｙ方向とＺ方向とによって形成されるＹＺ平面に平行な２個の外周壁部１１ｈとから構成されている。
【００４３】
外周壁部１１ｈの前端側には、前後方向の所定の範囲で外周壁部１１ｈの一部が切り欠かれた切欠き部１１ｊが形成されている。切欠き部１１ｊは、外周壁部１１ｈの前端から後ろ側に向かって所定の範囲に形成されている。外周壁部１１ｈの後端側には、前後方向の所定の範囲で外周壁部１１ｈの一部が切り欠かれた切欠き部１１ｋが形成されている。切欠き部１１ｋは、外周壁部１１ｈの後端から前側に向かって所定の範囲に形成されている。切欠き部１１ｊ、１１ｋは、その底面がバネ固定面１１ｂに対して同じ高さまたは下側に配置されるように形成されている。また、前後方向において、切欠き部１１ｊが形成される範囲は、切欠き部１１ｋが形成される範囲よりも広くなっている。
【００４４】
前側に配置される外周壁部１１ｇには、この外周壁部１１ｇの一部が左右方向の所定の範囲で切り欠かれた２個の切欠き部１１ｍが形成されている。切欠き部１１ｍは、前側に配置される外周壁部１１ｇの左右両端よりも左右方向の内側へずれた位置から左右方向の内側に向かって所定の範囲に形成されている。切欠き部１１ｍは、その底面がバネ固定面１１ｂよりも上側に配置されるように形成されている。
【００４５】
２個の圧入部１１ｅは、前側に配置される外周壁部１１ｇに沿うように、外周壁部１１ｇの後ろ側に形成されている。また、２個の圧入部１１ｅは、光軸Ｌを通過するＹＺ平面に対して対称に形成されている。圧入部１１ｅは、バネ固定面１１ｂよりも下側へ窪む凹部によって構成されており、細い溝状に形成されている。本形態では、前側に配置される外周壁部１１ｇの後面が圧入部１１ｅの前側面となっている。
【００４６】
圧入部１１ｅの左右方向の内側には、給電端子１３、１４の一部が配置される配置孔１１ｐ（図６参照）が光軸方向に貫通するように形成されている。光軸方向から見たときの配置孔１１ｐの形状は、左右方向を長手方向とする長方形状となっている。また、２個の配置孔１１ｐは、左右方向に所定の間隔をあけた状態で形成されている。図６に示すように、ベース部材１１の前端側に形成される基準面１１ｃは、光軸方向から見たときに、２個の配置孔１１ｐの間を通過して、前側に配置される外周壁部１１ｇまで延びるように形成されている。
【００４７】
バネ片１５は、スリーブ８の下端側に固定される可動体固定部１５ａと、ベース部材１１に固定される２個の固定体固定部１５ｂと、可動体固定部１５ａと固定体固定部１５ｂとを繋ぐ２本の腕部１５ｃとを備えている。同様に、バネ片１６は、スリーブ８の下端側に固定される可動体固定部１６ａと、ベース部材１１に固定される２個の固定体固定部１６ｂと、可動体固定部１６ａと固定体固定部１６ｂとを繋ぐ２本の腕部１６ｃとを備えている。また、バネ片１５、１６は、給電端子１３、１４が半田付けされて電気的に接続される接続部１５ｄ、１６ｄを備えている。バネ片１５、１６は、その厚み方向と光軸方向とが略一致するように、スリーブ８およびベース部材１１に固定されている。すなわち、バネ片１５、１６は、Ｘ方向とＹ方向とから形成されるＸＹ平面に平行に配置されている。
【００４８】
可動体固定部１５ａ、１６ａは、略円弧状に形成されている。可動体固定部１５ａ、１６ａには、駆動用コイル２０の両端部のそれぞれが接続されるコイル接続部１５ｅ、１６ｅが形成されている。駆動用コイル２０の一端側は、コイル接続部１５ｅに半田付け等されて電気的に接続され、駆動用コイル２０の他端側は、コイル接続部１６ｅに半田付け等されて電気的に接続されている。
【００４９】
固定体固定部１５ｂ、１６ｂは、バネ固定面１１ｂに載置されている。固定体固定部１５ｂ、１６ｂには、突起１１ｆが挿通される挿通孔が形成されている。固定体固定部１５ｂ、１６ｂは、突起１１ｆに接着剤を塗布する接着によって、あるいは、突起１１ｆを利用した溶着によって、バネ固定面１１ｂに固定されている。腕部１５ｃ、１６ｃは、バネ片１５、１６の所望のバネ特性を得ることができるように形成されている。具体的には、腕部１５ｃ、１６ｃは、細長く形成されるとともに緩やかに湾曲している。
【００５０】
接続部１５ｄは、略長方形状に形成されている。この接続部１５ｄは、左前側でバネ固定面１１ｂに固定される固定体固定部１５ｂの左側に繋がるように形成されており、ベース部材１１の左前の隅に配置されている。図５に示すように、左前側でバネ固定面１１ｂに固定される固定体固定部１５ｂには、腕部１５ｃが右後ろ側から繋がっており、この腕部１５ｃは、略後ろ方向へ延びている。
【００５１】
接続部１６ｄは、略長方形状に形成されている。この接続部１６ｄは、右前側でバネ固定面１１ｂに固定される固定体固定部１６ｂの右側に繋がるように形成されており、ベース部材１１の右前の隅に配置されている。図５に示すように、右前側でバネ固定面１１ｂに固定される固定体固定部１６ｂには、腕部１６ｃが後ろ側から繋がっており、この腕部１６ｃは、略左方向へ延びている。
【００５２】
給電端子１３、１４は、図７に示すように、金属の平板が所定形状に折り曲げられることで形成されている。また、給電端子１３、１４は、互いに対称に形成されている。この給電端子１３、１４は、バネ片１５、１６が半田付けされて固定される半田付け部１３ａ、１４ａと、外部コネクタや外部基板等の外部から駆動用コイル２０に電流を供給するための外部機器（図示省略）に接続される端子部１３ｂ、１４ｂと、ベース部材１１の圧入部１１ｅに圧入されて固定される固定部１３ｃ、１４ｃと、固定部１３ｃ、１４ｃを圧入部１１ｅに圧入する際に加圧される加圧部１３ｄ、１４ｄとを備えている。
【００５３】
固定部１３ｃ、１４ｃは、細長い略長方形の平板状に形成されている。半田付け部１３ａ、１４ａは、略正方形の平板状に形成されている。この半田付け部１３ａ、１４ａは、固定部１３ｃ、１４ｃの長手方向の一端側から固定部１３ｃ、１４ｃの長手方向に直交する方向の一方へ突出しており、固定部１３ｃ、１４ｃと同一平面上に配置されている。加圧部１３ｄ、１４ｄは、略台形の平板状に形成されている。この加圧部１３ｄ、１４ｄは、固定部１３ｃ、１４ｃの長手方向の略中心位置から固定部１３ｃ、１４ｃの長手方向に直交する方向の一方へ突出しており、固定部１３ｃ、１４ｃと同一平面上に配置されている。
【００５４】
端子部１３ｂ、１４ｂは、略長方形状の平板状に形成されている。この端子部１３ｂ、１４ｂは、光軸方向から見たときに、固定部１３ｃ、１４ｃの厚み方向において、固定部１３ｃ、１４ｃからずれた位置に配置されており、端子部１３ｂ、１４ｂと固定部１３ｃ、１４ｃは、連結部１３ｅ、１４ｅによって繋がれている。連結部１３ｅ、１４ｅは、固定部１３ｃ、１４ｃの長手方向の他端側から固定部１３ｃ、１４ｃの長手方向に直交する方向の他方へ突出しており、固定部１３ｃ、１４ｃに対して傾斜している。端子部１３ｂ、１４ｂは、固定部１３ｃ、１４ｃと略平行になっている。
【００５５】
給電端子１３、１４は、固定部１３ｃ、１４ｃが２個の圧入部１１ｅのそれぞれに圧入されて固定されることで、ベース部材１１に固定されている。具体的には、固定部１３ｃ、１４ｃとＺＸ平面とが略平行になるように（すなわち、固定部１３ｃ、１４ｃの厚み方向と前後方向とが略一致するように）、かつ、左右方向の外側に半田付け部１３ａ、１４ａが配置され、左右方向の内側に端子部１３ｂ、１４ｂが配置されるように、固定部１３ｃ、１４ｃが圧入部１１ｅに圧入されて固定されており、給電端子１３、１４は、光軸Ｌを通過するＹＺ平面に対して対称に配置されている。すなわち、給電端子１３、１４は、上下方向から見たときに、レンズ駆動装置１の前辺の両隅側に半田付け部１３ａ、１４ａが配置され、レンズ駆動装置１の前辺の中心側に端子部１３ｂ、１４ｂが配置されるように、対称に配置されている。
【００５６】
また、給電端子１３、１４は、半田付け部１３ａ、１４ａおよび加圧部１３ｄ、１４ｄが上側に配置され、端子部１３ｂ、１４ｂが下側に配置されるように、ベース部材１１に固定されている。さらに、給電端子１３、１４は、端子部１３ｂ、１４ｂが固定部１３ｃ、１４ｃよりも後ろ側に配置されるように（すなわち、レンズ駆動装置１の内側に配置されるように）、ベース部材１１に固定されている。
【００５７】
本形態では、図９に示すように、前後方向（すなわち、固定部１３ｃ、１４ｃの厚み方向）における配置孔１１ｐの幅Ｗ１は、前後方向における固定部１３ｃ、１４ｃの外側面（すなわち、前面）と前後方向における端子部１３ｂ、１４ｂの外側面（すなわち、後面）との距離Ｗ２よりも広くなっている。連結部１３ｅ、１４ｅおよび端子部１３ｂ、１４ｂの上端側部分は、配置孔１１ｐの中に配置されている。また、端子部１３ｂ、１４ｂの下端側は、図１に示すように、レンズ駆動装置１の前面側で外部に露出している。図９に示すように、配置孔１１ｐの後側面と端子部１３ｂ、１４ｂの上端側部分との間には、比較的大きな隙間が形成されている。配置孔１１ｐには、レンズ駆動装置１の内部へ塵埃が入り込むのを防止するための接着剤が充填されている。
【００５８】
半田付け部１３ａは、ベース部材１１の左前の隅に配置されている。半田付け部１３ａの後面の下端側には、バネ片１５の接続部１５ｄの前端が当接した状態で、あるいは、やや隙間をあけた状態で、接続部１５ｄが半田付けされて固定されている。半田付け部１４ａは、ベース部材１１の右前の隅に配置されている。半田付け部１４ａの後面の下端側には、バネ片１６の接続部１６ｄの前端が当接した状態で、あるいは、やや隙間をあけた状態で、接続部１６ｄが半田付けされて固定されている。なお、半田付け部１３ａ、１４ａは、ＺＸ平面と平行に配置され、接続部１５ｄ、１６ｄは、ＸＹ平面と平行に配置されているため、半田付け部１３ａ、１４ａと接続部１５ｄ、１６ｄとがなす角度は、略直角になっている。
【００５９】
上述のように、外周壁部１１ｈの前端側には、切欠き部１１ｊが形成されている。すなわち、半田付け部１３ａと接続部１５ｄとの接続部分、および、半田付け部１４ａと接続部１６ｄとの接続部分の近傍には、切欠き部１１ｊが形成されている。本形態では、切欠き部１１ｊを利用して、半田付け部１３ａと接続部１５ｄとの半田付け作業、および、半田付け部１４ａと接続部１６ｄとの半田付け作業が行われる。なお、本形態では、切欠き部１１ｊ、１１ｋを利用して、バネ固定面１１ｂへの固定体固定部１５ｂ、１６ｂの接着作業または溶着作業が行われる。
【００６０】
ベース部材１１に固定される前の一対の給電端子１３、１４は、図８（Ａ）の二点鎖線で示すように、接続部材２５によって繋がっている。本形態では、接続部材２５を摘んで、固定部１３ｃ、１４ｃを上側から圧入部１１ｅに差し込んだ後、給電端子１３、１４と接続部材２５との境界部分で接続部材２５を複数回折り曲げて、接続部材２５を取り除く。圧入部１１ｅに固定部１３ｃ、１４ｃを差し込む際には、端子部１３ｂ、１４ｂは、上側から配置孔１１ｐに挿入される。その後、加圧部１３ｄ、１４ｄの上端を上側から加圧して、固定部１３ｃ、１４ｃを圧入部１１ｅに圧入する。
【００６１】
また、固定部１３ｃ、１４ｃを圧入部１１ｅに圧入した後に、上側から配置孔１１ｐに接着剤を充填する。配置孔１１ｐの縁には、図６に示すように、ベース部材１１の上面から下側へ窪む凹部１１ｒが形成されており、この凹部１１ｒを利用して、配置孔１１ｐに接着剤が充填される。凹部１１ｒは、左右方向における配置孔１１ｐの外側かつ後ろ側へ広がるように形成されている。
【００６２】
給電端子１３、１４には、接続部材２５が取り除かれた跡である除去部１３ｆ、１４ｆが形成されている。除去部１３ｆ、１４ｆは、固定部１３ｃ、１４ｃから上側へ突出するように形成されている。また、除去部１３ｆ、１４ｆは、左右方向における加圧部１３ｄ、１４ｄの内側に形成されている。除去部１３ｆと接続部材２５との境界には、図８（Ｂ）に示すように、接続部材２５を折り曲げやすくするための切欠き２５ａが形成されている。同様に、除去部１４ｆと接続部材２５との境界にも、接続部材２５を折り曲げやすくするための切欠きが形成されている。
【００６３】
除去部１３ｆ、１４ｆは、左右方向において、前側に配置される外周壁部１１ｇの切欠き部１１ｍと同じ位置に配置されている。すなわち、前側に配置される外周壁部１１ｇの、除去部１３ｆ、１４ｆの近傍には、切欠き部１１ｍが形成されている。圧入部１１ｅに固定部１３ｃ、１４ｃを差し込んで、接続部材２５を折り曲げるときには、切欠き部１１ｍが利用される。給電端子１３、１４の、レンズ駆動装置１の前面側で外部に露出する端子部１３ｂ、１４ｂの下端側と除去部１３ｆ、１４ｆの上端側とを除いた部分の前面は、図４に示すように、前側に配置される外周壁部１１ｇによって覆われている。
【００６４】
図５に示すように、バネ片１６の腕部１６ｃの、可動体固定部１６ａに近い部分は、給電端子１３の端子部１３ｂおよび連結部１３ｅの上側に配置されており、光軸方向から見たときに、バネ片１６の腕部１６ｃの、可動体固定部１６ａに近い部分と、端子部１３ｂおよび連結部１３ｅとが重なっている。また、上述のように、ベース部材１１の前端側に形成される基準面１１ｃは、光軸方向から見たときに、２個の配置孔１１ｐの間を通過して、前側に配置される外周壁部１１ｇまで延びるように形成されており、バネ片１６の腕部１６ｃは、ベース部材１１の前端側に形成される基準面１１ｃよりも上側に配置されている。すなわち、光軸方向から見たときに、ベース部材１１の前端側に形成される基準面１１ｃと腕部１６ｃとが重なっている。基準面１１ｃは、端子部１３ｂおよび連結部１３ｅよりも上側に配置されている。
【００６５】
本形態では、前側に配置される外周壁部１１ｇは、固定部１３ｃ、１４ｃに略平行な第１外周壁部であり、外周壁部１１ｈは、第１外周壁部である外周壁部１１ｇに略直交する第２外周壁部である。また、切欠き部１１ｍは、第２の切欠き部である。また、給電端子１４は、第１給電端子であり、給電端子１３は、第２給電端子であり、バネ片１６は、第１バネ片であり、バネ片１５は、第２バネ片である。また、ベース部材１１の前端側に形成される基準面１１ｃは、光軸方向から見たときに、第１バネ片であるバネ片１６の腕部１６ｃと重なる規制面である。
【００６６】
（本形態の主な効果）
以上説明したように、本形態では、給電端子１３、１４の端子部１３ｂ、１４ｂは、光軸方向から見たときに、前後方向において、ベース部材１１に固定される固定部１３ｃ、１４ｃからずれた位置に配置されている。そのため、本形態では、固定部１３ｃ、１４ｃに対する端子部１３ｂ、１４ｂのずれ量を変えることで、前後方向において、ベース部材１１に対する端子部１３ｂ、１４ｂの相対位置を変えることが可能になる。
【００６７】
また、本形態では、前後方向における配置孔１１ｐの幅Ｗ１は、前後方向における固定部１３ｃ、１４ｃの外側面と端子部１３ｂ、１４ｂの外側面との距離Ｗ２よりも広くなっているため、レンズ駆動装置１が搭載されるカメラによって端子部１３ｂ、１４ｂの位置が変わっても、連結部１３ｅ、１４ｅおよび端子部１３ｂ、１４ｂの上端側部分を配置孔１１ｐの中に配置することが可能になる。したがって、本形態では、レンズ駆動装置１が搭載されるカメラによって端子部１３ｂ、１４ｂの位置が変わっても、給電端子１３、１４を保持するベース部材１１をカメラごとに設計、製造する必要をなくすことが可能になる。
【００６８】
本形態では、光軸方向から見たときに、端子部１３ｂ、１４ｂは、固定部１３ｃ、１４ｃよりもレンズ駆動装置１の内側へずれている。そのため、固定部１３ｃ、１４ｃに対する端子部１３ｂ、１４ｂのずれ量が大きくなる場合であっても、レンズ駆動装置１の外周側に端子部１３ｂ、１４ｂが突出するのを防止することが可能になる。したがって、本形態では、レンズ駆動装置１をカメラに取り付ける際の端子部１３ｂ、１４ｂの損傷を防止しやすくなる。
【００６９】
また、端子部１３ｂ、１４ｂが固定部１３ｃ、１４ｃよりもレンズ駆動装置１の外側へずれている場合には、固定部１３ｃ、１４ｃと同一平面上に配置されている半田付け部１３ａ、１４ａおよび固定部１３ｃ、１４ｃが端子部１３ｂ、１４ｂよりも内側に配置されるため、バネ片１５、１６の配置スペースが狭くなり、バネ片１５、１６の設計の自由度が低くなる。これに対して、本形態では、半田付け部１３ａ、１４ａおよび固定部１３ｃ、１４ｃが端子部１３ｂ、１４ｂよりも外側に配置されるため、バネ片１５、１６の配置スペースを確保することが可能になり、その結果、バネ片１５、１６の設計の自由度を高めることが可能になる。
【００７０】
本形態では、配置孔１１ｐに、レンズ駆動装置１の内部へ塵埃が入り込むのを防止するための接着剤が充填されている。そのため、前後方向における配置孔１１ｐの幅Ｗ１が、前後方向における固定部１３ｃ、１４ｃの外側面と端子部１３ｂ、１４ｂの外側面との距離Ｗ２より広くなっていても、配置孔１１ｐからレンズ駆動装置１の内部へ塵埃が入り込むのを防止することが可能になる。また、本形態では、配置孔１１ｐの後側面と端子部１３ｂ、１４ｂの上端側部分との間に、比較的大きな隙間が形成されているため、連結部１３ｅ、１４ｅおよび端子部１３ｂ、１４ｂの上端側部分が配置孔１１ｐに配置されている状態であっても、比較的粘度の高い接着剤を配置孔１１ｐに充填することが可能になる。
【００７１】
本形態では、ベース部材１１に固定される前の一対の給電端子１３、１４は、接続部材２５によって繋がっている。そのため、本形態では、組立前の一対の給電用端子１３、１４が別体になっている場合と比較して、組立時の給電用端子１３、１４の取扱いが容易になる。
【００７２】
本形態では、給電端子１３の半田付け部１３ａとバネ片１５の接続部１５ｄとの接続部分は、ベース部材１１の左前の隅に配置されており、左前側でバネ固定面１１ｂに固定される固定体固定部１５ｂに繋がる腕部１５ｃから離れた位置に配置されている。また、給電端子１４の半田付け部１４ａとバネ片１６の接続部１６ｄとの接続部分は、ベース部材１１の右前の隅に配置されており、右前側でバネ固定面１１ｂに固定される固定体固定部１６ｂに繋がる腕部１６ｃから離れた位置に配置されている。また、半田付け部１３ａと接続部１５ｄとの接続部分、および、半田付け部１４ａと接続部１６ｄとの接続部分は、可動体２から離れた位置に配置されている。
【００７３】
そのため、半田付け部１３ａ、１４ａと接続部１５ｄ、１６ｄとの半田付け作業をそれほど慎重に行わなくても、半田付け部１３ａ、１４ａや接続部１５ｄ、１６ｄに腕部１５ｃ、１６ｃや可動体２が一緒に半田付けされるおそれはない。また、本形態では、腕部１５ｃ、１６ｃや可動体２から離れたベース部材１１の２つの隅において、半田付け部１３ａ、１４ａと接続部１５ｄ、１６ｄとを半田付けして固定しているため、半田付け部１３ａ、１４ａと接続部１５ｄ、１６ｄとの半田付けの面積を大きくすることができる。したがって、本形態では、給電端子１３、１４とバネ片１５、１６との半田付けを容易に行うことが可能になる。
【００７４】
また、本形態では、半田付け部１３ａと接続部１５ｄとの接続部分の近傍、および、半田付け部１４ａと接続部１６ｄとの接続部分の近傍に、切欠き部１１ｊが形成されているため、半田付け部１３ａと接続部１５ｄとの半田付け作業、および、半田付け部１４ａと接続部１６ｄとの半田付け作業を行う際に、切欠き部１１ｊを利用して、半田付け部１３ａ、１４ａと接続部１５ｄ、１６ｄとの接続部分に半田ごてを容易に近づけることが可能になる。したがって、本形態では、給電端子１３、１４とバネ片１５、１６との半田付けをより容易に行うことが可能になる。
【００７５】
本形態では、前側に配置される外周壁部１１ｇに沿うように形成された圧入部１１ｅに固定部１３ｃ、１４ｃが圧入されて固定されている。また、本形態では、給電端子１３、１４の端子部１３ｂ、１４ｂの下端側と除去部１３ｆ、１４ｆの上端側とを除いた部分の前面は、前側に配置される外周壁部１１ｇによって覆われており、この外周壁部１１ｇによって保護されている。そのため、本形態では、ベース部材１１に組み込まれた後の給電端子１３、１４が変形しにくくなる。また、本形態では、半田付け部１３ａ、１４ａの前面が前側に配置される外周壁部１１ｇによって覆われているため、金属材料で形成されるカバー部材１０の下端側に半田付け部１３ａ、１４ａが接触するのを防止することができる。
【００７６】
本形態では、圧入部１１ｅに固定部１３ｃ、１４ｃを圧入する際に加圧される加圧部１３ｄ、１４ｄが給電端子１３、１４に形成されている。そのため、圧入部１１ｅに固定部１３ｃ、１４ｃを圧入する際に、半田付け部１３ａ、１４ａを加圧する必要がない。したがって、本形態では、圧入部１１ｅに固定部１３ｃ、１４ｃを圧入する際の半田付け部１３ａ、１４ａの変形を防止することが可能になる。また、本形態では、半田付け部１３ａ、１４ａと端子部１３ｂ、１４ｂとの間に加圧部１３ｄ、１４ｄが形成されているため、固定部１３ｃ、１４ｃを圧入部１１ｅに均等に圧入することが可能になる。したがって、本形態では、左右方向における固定部１３ｃ、１４ｃの圧入量を均等にすることが可能になる。
【００７７】
本形態では、光軸方向から見たときに、バネ片１６の腕部１６ｃの一部は、バネ片１５に接続される給電端子１３の端子部１３ｂおよび連結部１３ｅと重なっている。そのため、本形態では、光軸方向から見たときに、バネ片１６の腕部１６ｃの一部が端子部１３ｂおよび連結部１３ｅからずれている場合と比較して、前後左右方向において、レンズ駆動装置１を小型化することが可能になる。また、本形態では、光軸方向から見たときに、バネ片１６の腕部１６ｃは、ベース部材１１の前端側に形成される基準面１１ｃと重なっており、基準面１１ｃは、端子部１３ｂおよび連結部１３ｅよりも上側に配置されているため、仮に、腕部１６ｃが下方向へ大きく撓んでも、ベース部材１１の前端側に形成される基準面１１ｃによって、端子部１３ｂおよび連結部１３ｅと腕部１６ｃとの接触を防止することが可能になる。したがって、本形態では、前後左右方向においてレンズ駆動装置１を小型化しても、バネ片１６と給電端子１３との短絡を防止することが可能になる。
【００７８】
（他の実施の形態）
上述した形態は、本発明の好適な形態の一例ではあるが、これに限定されるものではなく本発明の要旨を変更しない範囲において種々変形実施が可能である。
【００７９】
上述した形態では、前後方向における配置孔１１ｐの幅Ｗ１は、前後方向における固定部１３ｃ、１４ｃの外側面と前後方向における端子部１３ｂ、１４ｂの外側面との距離Ｗ２よりも広くなっている。この他にもたとえば、幅Ｗ１は、距離Ｗ２と略等しくても良い。すなわち、幅Ｗ１は、距離Ｗ２以上となっていれば良い。この場合であっても、上述した形態と同様に、レンズ駆動装置１が搭載されるカメラによって端子部１３ｂ、１４ｂの位置が変わっても、給電端子１３、１４を保持するベース部材１１をカメラごとに設計、製造する必要をなくすことが可能になる。
【００８０】
上述した形態では、連結部１３ｅ、１４ｅおよび端子部１３ｂ、１４ｂの上端側部分が配置孔１１ｐの中に配置されている。この他にもたとえば、固定部１３ｃ、１４ｃが配置孔１１ｐの中に配置されても良い。なお、この場合には、給電端子１３、１４の、連結部１３ｅ、１４ｅおよび端子部１３ｂ、１４ｂとなる部分を配置孔１１ｐに挿通した後に連結部１３ｅ、１４ｅとなる部分を折り曲げれば、前後方向における配置孔１１ｐの幅Ｗ１を、前後方向における固定部１３ｃ、１４ｃの外側面と端子部１３ｂ、１４ｂの外側面との距離Ｗ２より狭くすることも可能である。しかしながら、幅Ｗ１を距離Ｗ２よりも狭くすると、レンズ駆動装置１の組立作業が煩雑になる。また、幅Ｗ１を距離Ｗ２よりも狭くすると、連結部１３ｅ、１４ｅおよび端子部１３ｂ、１４ｂの配置位置が制限されるため、給電端子１３、１４の設計の自由度が低下する。
【００８１】
上述した形態では、端子部１３ｂ、１４ｂは、光軸方向から見たときに、固定部１３ｃ、１４ｃよりもレンズ駆動装置１の内側へずれている。この他にもたとえば、端子部１３ｂ、１４ｂは、光軸方向から見たときに、固定部１３ｃ、１４ｃよりもレンズ駆動装置１の外側へ（すなわち、前側へ）ずれても良い。また、上述した形態では、端子部１３ｂ、１４ｂは、固定部１３ｃ、１４ｃと略平行になっているが、端子部１３ｂ、１４ｂは、固定部１３ｃ、１４ｃに対して傾斜していても良い。この場合には、前後方向における配置孔１１ｐの幅Ｗ１は、前後方向における固定部１３ｃ、１４ｃの外側面と端子部１３ｂ、１４ｂの外側面との最長距離以上となっている。
【００８２】
上述した形態では、給電端子１３、１４の、端子部１３ｂ、１４ｂの下端側と除去部１３ｆ、１４ｆの上端側とを除いた部分の前面は、前側に配置される外周壁部１１ｇによって覆われている。この他にもたとえば、加圧部１３ｄ、１４ｄが、左右方向において、前側に配置される外周壁部１１ｇの切欠き部１１ｍと同じ位置に配置されて、加圧部１３ｄ、１４ｄの前面が、前側に配置される外周壁部１１ｇによって覆われなくても良い。すなわち、前側に配置される外周壁部１１ｇの、加圧部１３ｄ、１４ｄの近傍に、切欠き部１１ｍが形成されて、加圧部１３ｄ、１４ｄの前面が、前側に配置される外周壁部１１ｇによって覆われなくても良い。この場合には、前側に配置される外周壁部１１ｇに沿うように圧入部１１ｅが形成されていても、外周壁部１１ｇに邪魔されることなく、加圧部１３ｄ、１４ｄを加圧して圧入部１１ｅに固定部１３ｃ、１４ｃを圧入することが可能になる。
【００８３】
上述した形態では、給電端子１３、１４に、１個の半田付け部１３ａ、１４ａと１個の加圧部１３ｄ、１４ｄとが形成されている。この他にもたとえば、給電端子１３、１４に形成される半田付け部１３ａ、１４ａや加圧部１３ｄ、１４ｄの数は２個以上であっても良い。また、上述した形態では、加圧部１３ｄ、１４ｄは、半田付け部１３ａ、１４ａと端子部１３ｂ、１４ｂとの間に形成されているが、端子部１３ｂ、１４ｂの上側に加圧部１３ｄ、１４ｄが形成されても良い。また、上述した形態では、給電端子１３、１４に加圧部１３ｄ、１４ｄが形成されているが、給電端子１３、１４に加圧部１３ｄ、１４ｄが形成されていなくても良い。
【００８４】
上述した形態では、給電端子１３、１４の半田付け部１３ａ、１４ａは、固定部１３ｃ、１４ｃと同一平面上に配置されている。この他にもたとえば、特許文献１に記載のレンズ駆動装置の給電端子と同様に、光軸方向から見たときの給電端子１３、１４の形状が略Ｌ形状となるように、半田付け部１３ａ、１４ａが、固定部１３ｃ、１４ｃに対して略直角に折れ曲がっていても良い。また、上述した形態では、ベース部材１１に固定される前の一対の給電端子１３、１４は、接続部材２５によって繋がっているが、組立前の一対の給電用端子１３、１４は、別体になっていても良い。この場合には、給電端子１３、１４には、除去部１３ｆ、１４ｆは形成されない。
【００８５】
上述した形態では、板バネ６は、２個のバネ片１５、１６によって構成されている。この他にもたとえば、板バネ６は、互いに電気的に分離された３個以上のバネ片によって構成されても良い。この場合には、駆動用コイル２０の両端部のそれぞれは、３個以上のバネ片のうちの異なる２個のバネ片のそれぞれに電気的に接続される。
【００８６】
上述した形態では、光軸方向から見たときに、ベース部材１１の前端側に形成される基準面１１ｃとバネ片１６の腕部１６ｃとが重なっているが、ベース部材１１の前端側に形成される基準面１１ｃと腕部１６ｃとが重なっていなくても良い。また、上述した形態では、ベース部材１１の前端側に形成される基準面１１ｃが、光軸方向から見たときに、腕部１６ｃと重なる規制面となっているが、光軸方向から見たときに、腕部１６ｃと重なる規制面が、基準面１１ｃと別個に形成されても良い。
【００８７】
上述した形態では、レンズ駆動装置１は、光軸方向から見たときの形状が略正方形状となるように形成されているが、レンズ駆動装置１は、光軸方向から見たときの形状が略長方形状となるように形成されても良い。また、レンズ駆動装置１は、光軸方向から見たときの形状が略六角形状等の多角形状となるように形成されても良いし、略円形状や略楕円形状となるように形成されても良い。
【符号の説明】
【００８８】
１  レンズ駆動装置
２  可動体
３  固定体
４  駆動機構
６  板バネ
１１  ベース部材（保持部材）
１１ｃ  基準面（規制面）
１１ｄ  外周壁
１１ｅ  圧入部
１１ｇ  外周壁部（第１外周壁部）
１１ｈ  外周壁部（第２外周壁部）
１１ｊ  切欠き部
１１ｍ  切欠き部（第２の切欠き部）
１１ｐ  配置孔
１３  給電端子（第２給電端子）
１４  給電端子（第１給電端子）
１３ａ、１４ａ  半田付け部
１３ｂ、１４ｂ  端子部
１３ｃ、１４ｃ  固定部
１３ｄ、１４ｄ  加圧部
１３ｆ、１４ｆ  除去部
１５  バネ片（第２バネ片）
１６  バネ片（第１バネ片）
１５ａ、１６ａ  可動体固定部
１５ｂ、１６ｂ  固定体固定部
１５ｃ、１６ｃ  腕部
２０  駆動用コイル
２１  駆動用磁石
２５  接続部材
Ｌ  光軸
Ｗ１  配置孔の幅
Ｗ２  端子部の外側面と固定部の外側面との距離（最長距離）
Ｙ  固定部の厚み方向
Ｚ  光軸方向
【図１】
0005784483.tif 000002
【図２】
0005784483.tif 000003
【図３】
0005784483.tif 000004
【図４】
0005784483.tif 000005
【図５】
0005784483.tif 000006
【図６】
0005784483.tif 000007
【図７】
0005784483.tif 000008
【図８】
0005784483.tif 000009
【図９】
0005784483.tif 000010